(57)【要約】  【課題】構成が複雑で高価なフィルタ回路を用いずにコスト低減が達成でき、しかも、音波放音の周波数特性の設計の自由度を大幅に向上できるスピーカ装置を提供する  【解決手段】エンクロージャ１６の前面に位置する前面板部１８にはダクト１９が設けられ、該エンクロージャ１６の下面には、第１の面（水平板部２１ａ）と、この第１の面に対して異なる角度を有して形成された第２の面（傾斜板部２１ｂ）でなる下面板部２１が設けられる。水平板部２１ａは、前面板部１８に直交するように位置され、中央に第１のスピーカユニット２２が固定され、傾斜板部２１ｂは、水平板部２１ａの板面に対して傾斜角θを有して構成され、その中央に第２のスピーカユニット２３が固定されている。エンクロージャ１６の下面板部２１の４隅には第１柱部２０ａおよび第２柱部２０ｂを介して底板１７に対して浮いた状態で固定され、当該の隙間が放音開口となっている。【選択図】図１
2005223674.tif 000002
【特許請求の範囲】
【請求項１】
スピーカエンクロージャに形成される第１の面に設けられた第１のスピーカユニットと、
前記スピーカエンクロージャに、前記第１の面に対して異なる角度を有して形成された第２の面に設けられた第２のスピーカユニットと、
前記第１および第２のスピーカユニットのそれぞれに対して実質的に同等な音声電気信号を供給する信号供給手段と、
を具備し、
前記第１のスピーカユニットから直接的並びに間接的に放射される第１の放射音波と、前記第２のスピーカユニットによって直接的並びに間接的に放射される第２の放射音波との合成音波を聴取者に対して放射し得るように構成することを特徴とするスピーカ装置。
【請求項２】
前記第１の面と前記第２の面は、それぞれが連設された面で構成されると共に、それぞれが所定の傾斜角度を有するように構成されたことを特徴とする請求項１に記載のスピーカ装置。
【請求項３】
前記第１の面に設けられた第１のスピーカユニットによる音波が該第１の面の前方に直接的に放射されるように構成することを特徴とする請求項１に記載のスピーカ装置。
【請求項４】
前記第１の面に設けられた第１のスピーカユニットによる音波が該第１の面の前方に配設される反射部材を介して間接的に放射されるように構成することを特徴とする請求項１に記載のスピーカ装置。
【請求項５】
前記第２の面に設けられた第２のスピーカユニットによる音波が該第２の面の前方に直接的に放射されるように構成することを特徴とする請求項１に記載のスピーカ装置。
【請求項６】
前記第２の面に設けられた第２のスピーカユニットによる音波が該第２の面の前方に配設される反射部材を介して間接的に放射されるように構成することを特徴とする請求項１に記載のスピーカ装置。
【請求項７】
前記スピーカエンクロージャは、バスレフ・ダクトを有して構成されることを特徴とする請求項１乃至請求項６のいずれかに記載のスピーカ装置。
【請求項８】
前記スピーカエンクロージャは、一部開放型で構成されることを特徴とする請求項１乃至請求項６のいずれかに記載のスピーカ装置。
【請求項９】
前記第１および／または第２のスピーカユニットは、複数のスピーカユニットで構成されることを特徴とする請求項１乃至請求項８のいずれかに記載のスピーカ装置。
【発明の詳細な説明】
【技術分野】
【０００１】
本発明は、主として低域の音声周波数を再生するためのスピーカ装置の改良に関する。
【背景技術】
【０００２】
多種多様な音声再生機器から出力される音声電気信号の周波数帯域の内の低域成分のみを再生するサブウーハと呼ばれているスピーカ装置は、図６に示すスピーカ装置１のように、エンクロージャ２の前面板部３に低域再生専用のスピーカユニット４が固定され、該前面板部３にバスレフ再生用のダクト５が設けられている例がある。
【０００３】
この例においては、スピーカユニット４から前方に放射される音波成分に、ダクト５の開口から放射される音波成分が付加された状態、即ち低域成分がダクト５からの音波放射で増強された状態で放音されることになり、その周波数特性は図３に示すような音声周波数と出力音圧レベルの関係を表す特性図中に符号ａで示されるように、例えば５０Ｈｚから１ｋＨｚが略フラットに再生される。なお、図３は従来装置による放音特性（符号ａ，ｂ，ｃ）と本発明装置による放音特性（符号ｄ）を併せて表現した図である。
【０００４】
しかしながら、このスピーカ装置１においては、サブウーハ以外のスピーカ（中高域用）からの再生帯域に重複する部分があるために再生音波の全体を考えたときにその音場感が損なわれ、特にステレオ感が損なわれてしまう。
【０００５】
このために、放音される音波帯域を低域のみに限定させるためのフィルタ回路を介在させた状態でスピーカユニット４への信号供給を行っている。
【０００６】
一方、上述のようなフィルタ回路を用いずに、図７に示すスピーカ装置６のようにエンクロージャ２の前面板部３にダクト５を位置させ、スピーカユニット４を、エンクロージャ２の側方に位置させることによって、スピーカユニット４からの音波が側方に放射されることによって、サブウーハとしては不要な中高域の成分を自然に減衰させることによって、図３中に示す特性ｂのように、例えば５０Ｈｚから１００Ｈｚを略フラットに再生させることができる。
【０００７】
換言すれば、図７に示すスピーカ装置６は、スピーカユニット４から放射される中高域の成分は、指向性が鋭いので前面板部３の前方に位置する聴取者の位置には届かず、指向性の略皆無な低域成分のみが届くということである。
【０００８】
このスピーカ装置６は、側方にスピーカユニット４を設けたものであるが、それを下方に設けるようにした例もある。
【０００９】
即ち、図８に示すスピーカ装置７は、矩形の底板９の上部の４隅に柱部１０を設け、その上にエンクロージャ８を載せて構成している。
【００１０】
エンクロージャ８の前面板部１３にダクト１４の開口を位置させ、エンクロージャ８の底部の下面板部１１にスピーカユニット１２を設けて構成している。
【００１１】
このため、スピーカユニット１２に音声電気信号が供給されると、スピーカユニット１２から放射される中高域の成分は、指向性が鋭いので底板９の存在によって極度に減衰され前面板部１３の前方に位置する聴取者の位置には届かず、指向性の略皆無な低域成分のみが底板９によって反射された状態で聴取者に届くことになる。
【００１２】
従って、スピーカ装置７における放音特性は、図３中に示す符号ｃのようなものとなり、スピーカ装置６（図７参照）の特性ｂに比して中高域成分がさらに減衰されて、例えば６０Ｈｚ近傍にピークのあるサブウーハとして望ましい特性になる。
【発明の開示】
【発明が解決しようとする課題】
【００１３】
従来のスピーカ装置は、低域成分のみを放音させるために、低域通過型のフィルタ回路を使用した場合には、比較的に大きな電力を要する低域再生であるので、当該回路をパッシブ型の回路で構成する場合には太径で大型のコイルを使用しなければならないという難点があり、当該回路をアクティブ型の回路構成で行う場合には、オペアンプ等の精密電子部品を用いなければならず、いずれの場合もコスト増加を招く虞がある。
【００１４】
一方、スピーカユニットへの音声電気信号の供給を低域通過型のフィルタ回路を使用せずに、エンクロージャの下面や側面にスピーカユニットを取り付けて構成する場合には、取り付け位置が数種類（上下左右と下部）に限定されてしまうため、設計の自由度が低く、総合的な周波数特性を微細に設計することができず、当該スピーカ装置と組み合わせて用いられる他スピーカ、即ち左右の前方に位置するメインスピーカや中央に位置するセンタースピーカ等々の帯域とのマッチングを最適なものとすることが難しく一般的にはディップ特性が生じてしまい、総合的な特性を所期のものとすることが困難であるという現状である。
【００１５】
そこで、本発明の目的は、構成が複雑で高価なフィルタ回路を用いずにコスト低減が達成でき、しかも、音波放音の周波数特性の設計の自由度を大幅に向上できるスピーカ装置を提供することにある。
【課題を解決するための手段】
【００１６】
前述の課題を解決するため、本発明によるスピーカ装置は、次に列挙するような特徴的な構成を採用している。
【００１７】
（１）スピーカエンクロージャに形成される第１の面に設けられた第１のスピーカユニットと、前記スピーカエンクロージャに、前記第１の面に対して異なる角度を有して形成された第２の面に設けられた第２のスピーカユニットと、前記第１および第２のスピーカユニットのそれぞれに対して実質的に同等な音声電気信号を供給する信号供給手段と、を具備し、前記第１のスピーカユニットから直接的並びに間接的に放射される第１の放射音波と、前記第２のスピーカユニットによって直接的並びに間接的に放射される第２の放射音波との合成音波を聴取者に対して放射し得るように構成するスピーカ装置。
【００１８】
（２）前記第１の面と前記第２の面は、それぞれが連設された面で構成されると共に、それぞれが所定の傾斜角度を有するように構成された上記（１）に記載のスピーカ装置。
【００１９】
（３）前記第１の面に設けられた第１のスピーカユニットによる音波が該第１の面の前方に直接的に放射されるように構成する上記（１）に記載のスピーカ装置。
【００２０】
（４）前記第１の面に設けられた第１のスピーカユニットによる音波が該第１の面の前方に配設される反射部材を介して間接的に放射されるように構成する上記（１）に記載のスピーカ装置。
【００２１】
（５）前記第２の面に設けられた第２のスピーカユニットによる音波が該第２の面の前方に直接的に放射されるように構成する上記（１）に記載のスピーカ装置。
【００２２】
（６）前記第２の面に設けられた第２のスピーカユニットによる音波が該第２の面の前方に配設される反射部材を介して間接的に放射されるように構成する上記（１）に記載のスピーカ装置。
【００２３】
（７）前記スピーカエンクロージャは、密閉型で構成されると共に、バスレフ・ダクトを有して構成される上記（１）乃至（６）のいずれかに記載のスピーカ装置。
【００２４】
（８）前記スピーカエンクロージャは、一部開放型で構成される上記（１）乃至（６）のいずれかに記載のスピーカ装置。
【００２５】
（９）前記第１および／または第２のスピーカユニットは、複数のスピーカユニットで構成される上記（１）乃至（８）のいずれかに記載のスピーカ装置。
【発明の効果】
【００２６】
本発明に係るスピーカ装置は、スピーカデバイダ等と称される低域通過型のフィルタ回路を使用したり、スピーカユニットに供給される電気信号のそのものの低域のみを通過させるフィルタ回路を使用していないので大幅なコスト低減が図れる。
【００２７】
また、スピーカ装置における総合的な放音特性を設計する場合には、スピーカエンクロージャの形状を設計することによって総合的な周波数特性を微細に設計することができ、当該スピーカ装置と組み合わせて用いられる他スピーカ、即ち左右の前方に位置するメインスピーカや中央に位置するセンタースピーカ等々の帯域とのマッチングを最適なものにした設計を容易に行うことができ、設計自由度を著しく向上させることができる。
【００２８】
従って、本発明によれば、構成が複雑で高価なフィルタ回路を用いずにコスト低減が達成でき、しかも、音波放音の周波数特性の設計の自由度を大幅に向上できるスピーカ装置を提供することができる。
【実施例１】
【００２９】
本発明の実施の形態を［実施例１］として図１乃至図３を用いて説明する。なお、この例は、スピーカエンクロージャが密閉型で構成されると共に、バスレフ・ダクトを有して構成されるスピーカ装置に本発明を適用したものである。
【００３０】
図１に外観斜視図が示され、図２に断面図が示されるスピーカ装置１５は、密閉型のエンクロージャ１６で構成され、その下方に矩形の底板１７を有している。
【００３１】
エンクロージャ１６の前面に位置する前面板部１８にはダクト１９が設けられ、該エンクロージャ１６の下面には、第１の面（水平板部２１ａ）と、この第１の面に対して異なる角度を有して形成された第２の面（傾斜板部２１ｂ）でなる下面板部２１が設けられている。
【００３２】
また、前記第１の面（水平板部２１ａ）と前記第２の面（傾斜板部２１ｂ）は、それぞれが連設された面で構成されると共に、それぞれが所定の傾斜角度を有するような下面板部２１を有している。
【００３３】
水平板部２１ａは、前面板部１８の形成面に直交するように位置され、その中央に第１のスピーカユニット２２が音波放射方向が下向きとなるように固定され、傾斜板部２１ｂは、水平板部２１ａの板面に対して傾斜角θを有して構成され、その中央に第２のスピーカユニット２３が音波放射方向が下向きとなるように固定されている。
【００３４】
このようなエンクロージャ１６の下面板部２１の４隅には第１柱部２０ａ，２０ａおよび第２柱部２０ｂ，２０ｂを介して底板１７に対して浮いた状態で固定され、当該の隙間が放音開口となっている。
【００３５】
従って、第１のスピーカユニット２２と第２のスピーカユニット２３のそれぞれに、信号供給手段（図示せず）を用いて実質的に同等な音声電気信号が供給されると、第１のスピーカユニット２２から直接的並びに間接的に放射される第１の放射音波と、第２のスピーカユニット２３によって直接的並びに間接的に放射される第２の放射音波との合成音波が前面板部１８の前方に位置する聴取者に
対して放射される。
【００３６】
第１のスピーカユニット２２の前方に放射される音波は、底板１７とその隙間の存在により、中高域の成分は、指向性が鋭いので極度に減衰され前面板部１８の前方に位置する聴取者の位置には届かず、指向性の略皆無な低域成分のみが、傾斜板部２１ｂによって形成される放射状の開口から聴取者の方向に第１のスピーカユニット２２による第１の放射成分が届く（なお、この第１の放射音波の成分としては、第１のスピーカユニット２２の背面に生じる音波がダクト１９から放射される低域の成分が含まれる）。
【００３７】
第１のスピーカユニット２２からの第１の音波放射と同時に、第２のスピーカユニット２３からの第２の音波放射がなされ、その前方向に位置する底板１７とその放射状の隙間の存在によって、中高域の成分は、指向性が鋭いので適度に減衰され前面板部１８の前方に放射される（なお、この第２の放射音波の成分としては、第２のスピーカユニット２３の背面に生じる音波がダクト１９から放射される低域の成分が含まれる）。
【００３８】
このときのスピーカ装置１５の総合放音成分、即ち、第１および第２の音波放射の総合の特性は、傾斜板部２１ｂの傾斜角θが２５度の場合には図３中に示す符号ｄのようなものとなり、従来のスピーカ装置の特性例（ａ，ｂ，ｃ）のａ，ｂの中間に位置する。
【００３９】
スピーカ装置１５における最終的な特性を設計する場合、この傾斜角θを２５度より大きくすると高域寄りに変化させることができ、逆に、小さくすると低域寄りに変化させることができる。
【００４０】
換言すれば、傾斜角θを大きくすると第２のスピーカユニット２３から放射される中高域の成分の減衰量が少なくなり、逆に、傾斜角θを小さくすると減衰量が大きくなるという性質を利用し、第１のスピーカユニット２２によって固定的に有される低域特性を第２のスピーカユニット２３によって増強するものであり、その増強量の設計を傾斜角θの調整によって行うことができるので設計自由度を著しく向上させることができる。
【００４１】
また、サブウーハとして用いられるスピーカ装置１５は、組み合わせて用いられる他スピーカ、即ち左右の前方に位置するメインスピーカや中央に位置するセンタースピーカ等々の特性に適合するように傾斜角θの設計を行うことによってシステム全体の総合的な特定周波数においてディップを生じないようにすることができる。
【実施例２】
【００４２】
前述の［実施例１］は、エンクロージャの下面に２個のスピーカユニットを設けた例であるが、１個を下面に設け、他を側面に設けるようにしてもよい。この例を［実施例２］として説明する。
【００４３】
図４において、スピーカ装置２４を構成するエンクロージャ１６の前面に位置する前面板部１８にはダクト１９が設けられ、該エンクロージャ１６の下面には底板１７が固定され、側面板部２５の中央に第１のスピーカユニット２２が固定されている。
【００４４】
この側面板部２５には第１の面が構成され、この第１の面に対して異なる角度を有して形成された第２の面（傾斜板部２６）が構成される。また、第１の面（側面板部２５）と第２の面（傾斜板部２６）は、異なる角度を有して配設され、傾斜板部２６は、底板１７に対し支柱１６ａを介して所定の傾斜角θを有して構成され、該傾斜板部２６の中央に第２のスピーカユニット２３が音波放射方向が下向きとなるように固定されている。
【００４５】
従って、第１のスピーカユニット２２と第２のスピーカユニット２３のそれぞれに、信号供給手段（図示せず）を用いて実質的に同等な音声電気信号が供給されると、第１のスピーカユニット２２から直接的並びに間接的に放射される第１の放射音波と、第２のスピーカユニット２３によって直接的並びに間接的に放射される第２の放射音波との合成音波が前面板部１８の前方に位置する聴取者に対して放射される。
【００４６】
第１のスピーカユニット２２の前方に放射される音波は、聴取者の位置に対して９０度の角度だけ異なっている方向であるので、中高域の成分は、指向性が鋭いので極度に減衰され前面板部１８の前方に位置する聴取者には届かず、指向性の略皆無な低域成分のみが聴取者に届く（なお、この第１の放射音波の成分としては、第１のスピーカユニット２２の背面に生じる音波がダクト１９から放射される低域の成分が含まれる）。
【００４７】
第１のスピーカユニット２２からの第１の音波放射と同時に、第２のスピーカユニット２３からの第２の音波放射がなされ、その下位に傾斜して位置する底板１７とその放射状の隙間の存在によって、中高域の成分は、指向性が鋭いので適度に減衰され聴取者の方向に放射される（なお、この第２の放射音波の成分としては、第２のスピーカユニット２３の背面に生じる音波がダクト１９から放射される低域の成分が含まれる）。
【００４８】
このときのスピーカ装置２４の総合の音波放射、即ち、第１および第２の音波放射が合成された総合の特性は、傾斜板部２６の傾斜角θが２５度の場合には図３中に示す符号ｄのようなものとなり、従来のスピーカ装置の特性例（ａ，ｂ，ｃ）のａ，ｂの中間に位置する。
【００４９】
スピーカ装置２４における最終的な特性を設計する場合、この傾斜角θを２５度より大きくすると高域寄りに変化させることができ、逆に、小さくすると低域寄りに変化させることができる。
【００５０】
換言すれば、傾斜角θを大きくすると第２のスピーカユニット２３から放射される中高域の成分の減衰量が少なくなり、逆に、傾斜角θを小さくすると減衰量が大きくなるという性質を利用し、第１のスピーカユニット２２によって固定的に有される低域特性を第２のスピーカユニット２３によって増強するものであり、その増強量の設計を傾斜角θの調整によって行うことができるので設計自由度を著しく向上させることができる。
【００５１】
また、サブウーハとして用いられるスピーカ装置２４は、組み合わせて用いられる他スピーカ、即ち左右の前方に位置するメインスピーカや中央に位置するセンタースピーカ等々の特性に適合するように傾斜角θの設計を行うことによってシステム全体の総合的な特定周波数においてディップを生じないようにすることができる。
【実施例３】
【００５２】
前述の［実施例１］および［実施例２］は、いずれもエンクロージャの前面板部にはスピーカユニットを設けていない例であるが、当該前面板部にスピーカユニットを設けるようにしてもよく、この例を［実施例３］として説明する。
【００５３】
図５において、スピーカ装置２７を構成するエンクロージャ１６の前面に位置する前面板部１８にはダクト１９が設けられ、該エンクロージャ１６の下面に位置する底板部２８の４隅のそれぞれに支柱２９を介して底板１７から浮かせた状態で固定されている。
【００５４】
このようなエンクロージャ１６の前面板部１８には第１の面が構成され、この第１の面に対して異なる角度を有して形成された第２の面（底板部２８）が構成され、前面板部１８にダクト１９と第１のスピーカユニット２２を設け、底板部２８の中央に第２のスピーカユニット２３が設けられている。
【００５５】
従って、第１のスピーカユニット２２と第２のスピーカユニット２３のそれぞれに、信号供給手段（図示せず）を用いて実質的に同等な音声電気信号が供給されると、第１のスピーカユニット２２から直接的並びに間接的に放射される第１の放射音波と、第２のスピーカユニット２３によって直接的並びに間接的に放射される第２の放射音波との合成音波が前面板部１８の前方に位置する聴取者に対して放射される。
【００５６】
第１のスピーカユニット２２の前方に放射される音波は、聴取者の位置に向かっているために全帯域の成分が聴取者に届く（なお、この第１の放射音波の成分としては、第１のスピーカユニット２２の背面に生じる音波がダクト１９から放射される低域の成分が含まれる）。
【００５７】
第１のスピーカユニット２２からの第１の音波放射と同時に、第２のスピーカユニット２３からの第２の音波放射がなされ、その下位に位置する所定の放射空間の存在によって、中高域の成分は、指向性が鋭いので極度に減衰されて聴取者の方向に放射される（なお、この第２の放射音波の成分としては、第２のスピーカユニット２３の背面に生じる音波がダクト１９から放射される低域の成分が含まれる）。
【００５８】
このときのスピーカ装置２７の総合の音波放射、即ち、第１および第２の音波放射が合成された総合の特性は、図３中に示す符号ｄと略等しいものとなり、従来のスピーカ装置の特性例（ａ，ｂ，ｃ）のａ，ｂの中間に位置する。
【００５９】
スピーカ装置２７における最終的な特性を設計する場合には、底板部２８と底板１７の間隙の寸法を適宜に設計することによって第２のスピーカユニット２３における中高域成分の量を設計することができ、当該寸法を大きくすることによってスピーカ装置２７全体の放音特性を高域寄りに変化させることができ、逆に、小さくすると低域寄りに変化させることができる。
【００６０】
換言すれば、当該寸法を大きくすると第２のスピーカユニット２３から放射される中高域の成分の減衰量が少なくなり、逆に、小さくすると減衰量が大きくなるという性質を利用し、第１のスピーカユニット２２によって固定的に有される低域特性を第２のスピーカユニット２３によって増強するものであり、その増強量の設計を容易に行うことができるので設計自由度を著しく向上させることができる。
【００６１】
また、サブウーハとして用いられるスピーカ装置２７は、組み合わせて用いられる他スピーカ、即ち左右の前方に位置するメインスピーカや中央に位置するセンタースピーカ等々の特性に適合するように当該寸法の設計を行うことによってシステム全体の総合的な特定周波数においてディップを生じないようにすることができる。
【００６２】
なお、本発明によるスピーカ装置は、前述の［実施例１］乃至［実施例３］に限定されることなく、その要旨を逸脱しない範囲内で種々の変形実施を採用できることは勿論である。
【００６３】
スピーカエンクロージャは、密閉型で構成されると共に、バスレフ・ダクトを有してエンクロージャが構成されているが、当該のスピーカエンクロージャを一部開放型で構成したり、バスレフ・ダクトを有さないように構成してもよく、また、第１および第２のスピーカユニットのそれぞれは、１つのユニットで構成されているが、第１および／または第２のスピーカユニットを複数のユニットで構成するようにしてもよい。
【図面の簡単な説明】
【００６４】
【図１】本発明の実施の形態に係る［実施例１］のスピーカ装置の外観を示す斜視図である。
【図２】図１に示されるスピーカ装置の側断面図である。
【図３】従来のスピーカ装置の放音特性と本発明を適用したスピーカ装置の放音特性を併せて示す特性図である。
【図４】本発明の実施の形態に係る［実施例２］のスピーカ装置の外観を示す斜視図である。
【図５】本発明の実施の形態に係る［実施例３］のスピーカ装置の外観を示す斜視図である。
【図６】従来のスピーカ装置の一例の外観を示す斜視図である。
【図７】従来のスピーカ装置の他例の外観を示す斜視図である。
【図８】従来のスピーカ装置のさらに他例の外観を示す斜視図である。
【符号の説明】
【００６５】
１  スピーカ装置
２  エンクロージャ
３  前面板部
４  スピーカユニット
５  ダクト
６  スピーカ装置
７  スピーカ装置
８  エンクロージャ
９  底板
１０  柱部
１１  下面板部
１２  スピーカユニット
１３  前面板部
１４  ダクト
１５  スピーカ装置
１６  エンクロージャ
１６ａ  支柱
１７  底板
１８  前面板部
１９  ダクト
２０  柱部
２１  下面板部
２１ａ  水平板部
２１ｂ  傾斜板部
２２  第１のスピーカユニット
２３  第２のスピーカユニット
２４  スピーカ装置
２５  側面板部
２６  傾斜板部
２７  スピーカ装置
２８  底板部
２９  支柱
【図１】
2005223674.tif 000003
【図２】
2005223674.tif 000004
【図３】
2005223674.tif 000005
【図４】
2005223674.tif 000006
【図５】
2005223674.tif 000007
【図６】
2005223674.tif 000008
【図７】
2005223674.tif 000009
【図８】
2005223674.tif 000010